(57)【要約】【課題】どのような撮影条件であっても、撮影者が細かい設定を行うことなく簡単に主要被写体を適正露出で撮影することができる増灯撮影システムを提供する。【解決手段】主フラッシュライト１０から被写体までの距離情報をレンズ群位置検出部３により取得し、増灯フラッシュライト２０から被写体までの距離情報を距離検出部２３により取得し、これらの距離情報を用いて、本発光時の主フラッシュライト１０及び増灯フラッシュライト２０のガイドナンバーを求める。【選択図】図１
2005121936.tif 000002
【特許請求の範囲】
【請求項１】
被写体を照明する装置であって本発光に先立って主予備発光を行う主閃光発光装置と、
前記主閃光発光装置とは別の位置から被写体を照明する装置であって本発光に先立って増灯予備発光を行う少なくとも１つの増灯閃光発光装置と、
を制御して増灯撮影を行う増灯撮影システムであって、
前記主閃光発光装置及び／又は前記増灯閃光発光装置から被写体までの距離情報を取得する距離情報取得手段と、
被写界を複数の領域に分割した分割測光領域毎に測光値を出力する測光手段と、
前記主予備発光時に前記測光手段により得られた主予備測光値に基づいて前記主閃光発光装置の発光予定量である主発光予定量を演算する主発光予定量演算手段と、
前記増灯予備発光時に前記測光手段により得られた増灯予備測光値に基づいて前記増灯閃光発光装置の発光予定量である増灯発光予定量を演算する増灯発光予定量演算手段と、
を備え、
前記主発光予定量演算手段及び／又は前記増灯発光予定量演算手段は、前記距離情報を用いて前記主発光予定量及び／又は前記増灯発光予定量の演算又は補正を行う増灯撮影システム。
【請求項２】
請求項１に記載の増灯撮影システムにおいて、
前記距離情報取得手段は、前記主閃光発光装置及び／又は前記増灯閃光発光装置に設けられた距離検出部を有すること、
を特徴とする増灯撮影システム。
【請求項３】
請求項２に記載の増灯撮影システムにおいて、
前記増灯閃光発光装置に設けられた距離検出部を有する前記距離情報取得手段により得られた距離情報は、前記増灯閃光発光装置に設けられた外部調光用測光部を用いて前記増灯予備発光時に得られた外部増灯予備測光値とともに被写体の反射率演算に使用されること、
を特徴とする増灯撮影システム。
【請求項４】
請求項１から請求項３までのいずれか１項に記載の増灯撮影システムにおいて、
前記距離情報取得手段は、撮影レンズに設けられたレンズ群位置検出部を有すること、
を特徴とする増灯撮影システム。
【請求項５】
請求項１から請求項４までのいずれか１項に記載の増灯撮影システムにおいて、
前記距離情報取得手段は、撮影者が任意の値を入力することができる距離情報入力部を有すること、
を特徴とする増灯撮影システム。
【請求項６】
請求項１から請求項５までのいずれか１項に記載の増灯撮影システムにおいて、
前記主発光予定量演算手段及び／又は前記増灯発光予定量演算手段は、前記主発光予定量及び前記増灯発光予定量を合わせて前記分割測光領域毎の照明予定量を演算し、前記照明予定量が被写体を適正に照明するのに必要な光量となる適正値を超えるオーバー領域がある場合に、前記主発光予定量と前記増灯発光予定量の内前記オーバー領域を照明する寄与率の高い側ほど発光予定量を多く減少させることにより前記オーバー領域の照明予定量が前記適正値になるように、前記主発光予定量及び前記増灯発光予定量を修正すること、
を特徴とする増灯撮影システム。
【発明の詳細な説明】
【技術分野】
【０００１】
本発明は、複数の増灯閃光発光装置を用いた増灯撮影システムに関するものである。
【背景技術】
【０００２】
従来から、複数のフラッシュライト等の増灯照明光を用いて撮影を行うカメラの増灯撮影が行われている。例えば、特許文献１に記載の装置では、複数の閃光発光装置を用いて増灯撮影の自動制御を行っている。
しかし、従来の増灯撮影システムでは、各フラッシュライトの発光比率（光量比）を撮影者自らが適切に設定しない場合、各フラッシュライトによってバランスよく被写体を照明することができないという問題があった。
図５は、測光領域と撮影画面の一例とを重ねて示した図である。
例えば、人物６２と背景６３とを主フラッシュライトにより照明し、背景６３のみを増灯フラッシュライトにより照明した場合、人物６２と背景６３の距離によって、背景６３に対する主フラッシュライトの照明効果が異なるため、撮影者が人物６２と背景６３との距離に応じて主フラッシュライト及び増灯フラッシュライトの光量比の設定をやり直す必要があるという問題があった。
【特許文献１】特開昭５７−１７７１３２号公報
【発明の開示】
【発明が解決しようとする課題】
【０００３】
本発明の課題は、どのような撮影条件であっても、撮影者が細かい設定を行うことなく簡単に主要被写体を適正露出で撮影することができる増灯撮影システムを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、被写体を照明する装置であって本発光に先立って主予備発光を行う主閃光発光装置（１０）と、前記主閃光発光装置とは別の位置から被写体を照明する装置であって本発光に先立って増灯予備発光を行う少なくとも１つの増灯閃光発光装置（２０）と、を制御して増灯撮影を行う増灯撮影システムであって、前記主閃光発光装置及び／又は前記増灯閃光発光装置から被写体までの距離情報を取得する距離情報取得手段（３，２３）と、被写界を複数の領域に分割した分割測光領域毎に測光値を出力する測光手段（５）と、前記主予備発光時に前記測光手段により得られた主予備測光値に基づいて前記主閃光発光装置の発光予定量である主発光予定量を演算する主発光予定量演算手段（６，Ｓ９，Ｓ２０）と、前記増灯予備発光時に前記測光手段により得られた増灯予備測光値に基づいて前記増灯閃光発光装置の発光予定量である増灯発光予定量を演算する増灯発光予定量演算手段（６，Ｓ１６，Ｓ２０）と、を備え、前記主発光予定量演算手段及び／又は前記増灯発光予定量演算手段は、前記距離情報を用いて前記主発光予定量及び／又は前記増灯発光予定量の演算又は補正を行う増灯撮影システムである。
【０００５】
請求項２の発明は、請求項１に記載の増灯撮影システムにおいて、前記距離情報取得手段（３，２３）は、前記主閃光発光装置（１０）及び／又は前記増灯閃光発光装置（２０）に設けられた距離検出部（２３）を有すること、を特徴とする増灯撮影システムである。
【０００６】
請求項３の発明は、請求項２に記載の増灯撮影システムにおいて、前記増灯閃光発光装置（２０）に設けられた距離検出部（２３）を有する前記距離情報取得手段により得られた距離情報は、前記増灯閃光発光装置に設けられた外部調光用測光部（２４）を用いて前記増灯予備発光時に得られた外部増灯予備測光値とともに被写体の反射率演算に使用されること、を特徴とする増灯撮影システムである。
【０００７】
請求項４の発明は、請求項１から請求項３までのいずれか１項に記載の増灯撮影システムにおいて、前記距離情報取得手段（３，２３）は、撮影レンズに設けられたレンズ群位置検出部（３）を有すること、を特徴とする増灯撮影システムである。
【０００８】
請求項５の発明は、請求項１から請求項４までのいずれか１項に記載の増灯撮影システムにおいて、前記距離情報取得手段（３，２３）は、撮影者が任意の値を入力することができる距離情報入力部を有すること、を特徴とする増灯撮影システムである。
【０００９】
請求項６の発明は、請求項１から請求項５までのいずれか１項に記載の増灯撮影システムにおいて、前記主発光予定量演算手段（６，Ｓ９，Ｓ２０）及び／又は前記増灯発光予定量演算手段（６，Ｓ１６，Ｓ２０）は、前記主発光予定量及び前記増灯発光予定量を合わせて前記分割測光領域毎の照明予定量を演算し、前記照明予定量が被写体を適正に照明するのに必要な光量となる適正値を超えるオーバー領域がある場合に、前記主発光予定量と前記増灯発光予定量の内前記オーバー領域を照明する寄与率の高い側ほど発光予定量を多く減少させることにより前記オーバー領域の照明予定量が前記適正値になるように、前記主発光予定量及び前記増灯発光予定量を修正すること、を特徴とする増灯撮影システムである。
【発明の効果】
【００１０】
本発明によれば、以下の効果を奏することができる。
（１）主発光予定量演算手段及び／又は増灯発光予定量演算手段は、距離情報を用いて主発光予定量及び／又は増灯発光予定量の演算又は補正を行うので、各フラッシュライトをどのような配置としても、最適な光量比で各フラッシュライトを発光させることができ、簡単に良好な撮影結果を得ることができる。
【００１１】
（２）距離情報取得手段は、主閃光発光装置及び／又は増灯閃光発光装置に設けられた距離検出部を有するので、カメラ本体から離れた位置に設けられた閃光発光装置と被写体との距離情報も正確に得ることができ、確実に良好な撮影結果を得ることができる。
【００１２】
（３）増灯閃光発光装置に設けられた距離検出部を有する距離情報取得手段により得られた距離情報は、増灯閃光発光装置に設けられた外部調光用測光部を用いて増灯予備発光時に得られた外部増灯予備測光値とともに被写体の反射率演算に使用されるので、増灯閃光発光装置が照明する被写体の反射率を正確に求めることができ、確実に良好な撮影結果を得ることができる。
【００１３】
（４）距離情報取得手段は、撮影レンズに設けられたレンズ群位置検出部を有するので、主閃光発光装置に距離検出部が無くても正確な距離情報を得ることができる。
【００１４】
（５）距離情報取得手段は、撮影者が任意の値を入力することができる距離情報入力部を有するので、距離検出をする機能の有無に関わらず、良好な撮影結果を得ることができる。
【００１５】
（６）主発光予定量と増灯発光予定量の内オーバー領域を照明する寄与率の高い側ほど発光予定量を多く減少させることによりオーバー領域の照明予定量が適正値になるように、主発光予定量及び増灯発光予定量を修正するので、各閃光発光装置が照明する領域が重なる場合であっても、最適な光量比で各フラッシュライトを発光させることができ、簡単に良好な撮影結果を得ることができる。
【発明を実施するための最良の形態】
【００１６】
どのような撮影条件であっても、撮影者が細かい設定を行うことなく簡単に主要被写体を適正露出で撮影することができるようにするという目的を、被写体までの距離情報を利用して各閃光発光装置の発光量を決定することにより実現した。
【実施例】
【００１７】
図１は、本発明による増灯撮影システムの実施例の構成を示す図である。
本実施例における増灯撮影システムは、絞り２及びレンズ群位置検出部３を含む撮影レンズ１、クイックリターンミラー４、測光センサー５、制御装置６等を備えたカメラと、主フラッシュライト１０及び増灯フラッシュライト２０を有している。
レンズ群位置検出部３は、エンコーダ等で構成され、撮影レンズ１の合焦時のレンズ位置をエンコーダにより検出し、撮影距離を検出する部分であり、本発明における距離情報取得手段の一部を形成している。
測光センサー５は、撮影レンズ１を通した被写界を複数の領域に分割した分割測光領域毎に測光値を出力する測光手段である。
【００１８】
図２は、測光センサー５を用いた撮影画面の測光領域を示す図である。
測光センサー５は、被写界を領域５１〜５５に分割し、それぞれの領域毎の光量を測光し、制御装置６に伝える。
制御装置６は、マイクロプロセッサからなり、カメラの各種制御を行う部分であり、本実施例では、主発光予定量演算手段、増灯発光予定量演算手段の役割を果たしている。
【００１９】
主フラッシュライト１０は、主発光管制御装置１１と主発光管１２とを有した主閃光発光装置であり、本実施例では、カメラに直接接続されている。なお、本実施例では、主フラッシュライト１０は、カメラに対して着脱自在な別ユニットであるが、予めカメラに設けられているフラッシュライトでもよい。
増灯フラッシュライト２０は、増灯発光管制御装置２１，増灯発光管２２，距離検出部２３，外部調光用測光部２４等を有した増灯閃光発光装置であり、本実施例では、増灯ケーブル７を介してカメラと接続されており、主フラッシュライト１０とは別の位置から被写体を照明する。なお、増灯フラッシュライト２０は、増灯ケーブル７を介してカメラと接続せずに、ワイヤレス制御とすることもできる。
距離検出部２３は、増灯フラッシュライト２０から被写体までの距離を検出する部分であり、本実施例では、所謂アクティブ方式により測距を行い、レンズ群位置検出部３とともに本発明における距離情報取得手段の一部を形成している。
外部調光用測光部２４は、増灯フラッシュライト２０が単体でカメラから制御されずに発光量を制御する外部調光方式で閃光発光の制御を行うときに使用される測光部であるが、本実施例では、この外部調光用測光部２４を増灯撮影時の反射率ＲＨ２の演算にも利用する。
【００２０】
次に、本実施例におけるカメラの動作について説明する。
図３は、本実施例におけるカメラの動作を示すフローチャートである。なお、特に示さない限り、図３に示す動作は、制御装置６の制御により行われ、各種演算は、制御装置６が実行する。
不図示のシャッターレリーズボタンの押下により撮影動作が開始されると以下のステップ（以下、Ｓとする）が実行される。
Ｓ１では、測光センサー５の５つの領域５１〜５５における定常光成分ａ１〔１〕〜ａ１〔５〕の測定と保存、及び、撮影距離Ｄの取得を行う。この撮影距離Ｄの取得は、レンズ群位置検出部３により行われる。
Ｓ２では、測光センサー５により主フラッシュライト１０の主モニター発光の測光を開始する。
Ｓ３では、主フラッシュライト１０の主モニター発光（主予備発光）を行う。この主フラッシュライト１０の主モニター発光では、主発光管１２を所定の小さな発光量のガイドナンバーｐ１で発光させる。このガイドナンバーｐ１は、カメラ側から指定するか、又は、主フラッシュライト１０側で予め設定された値をカメラ側に伝達するようにする。
【００２１】
Ｓ４では、主モニター発光の測光完了とともに測光センサー５の５領域の一時的な測光値（主予備測光値）ｔ1〔１〕〜ｔ1〔５〕の取得を行う。
Ｓ５では、測光センサー５で主フラッシュライト１０のモニター発光の直前、又は、直後に測光した定常光成分をａ1〔１〕〜ａ1〔５〕とし、以下の数１に示すように、測光値ｔ1〔１〕〜ｔ1〔５〕から定常光成分ａ1〔１〕〜ａ1〔５〕を引くことにより、純粋な主フラッシュライト１０の主モニター発光での５個の領域の反射光量ｂ1〔１〕〜ｂ1〔５〕を演算する。
【００２２】
【数１】
2005121936.tif 000003
【００２３】
Ｓ６では、主調光領域ｍｐｏｓの検出と、反射率Ｒの演算を以下のように行う。
まず、主要被写体が最もカメラに近い場所に存在するとして、この中の最大値を返す領域を主調光領域ｍｐｏｓとし、最大反射光量ｂｌｍａｘを以下のようにして得る。
【００２４】
【数２】
2005121936.tif 000004
【００２５】
次に、レンズ群位置検出部３により検出した撮影距離Ｄと撮影レンズのＦナンバーとモニター発光のガイドナンバーｐ１と、上記数２により求めた最大反射光量ｂｌｍａｘより調光領域の反射率Ｒを以下の式により求める。
【００２６】
【数３】
2005121936.tif 000005
【００２７】
ここで、Ｋは、あらかじめ標準とした反射率の被写体で１．０となるように定められた係数である。標準よりも高反射率の被写体では、１以上になり、低反射率では１以下となる。
また、検出距離Ｄには、誤差があるため演算した反射率Ｒにも誤差が生じるのでこの誤差分を以下の式により求める。
【００２８】
【数４】
2005121936.tif 000006
【００２９】
ここで、ｄＲｎは、実際には近距離側となる誤差で１以上の値となり実際の反射率よりも高くなる誤差、ｄＲｉは、実際より遠距離側の誤差で１以下の値となり実際の反射率よりも低くなる誤差である。また、Ｄｎ，Ｄｉは、距離Ｄごとにあらかじめ設定されていて、撮影レンズ内の距離エンコーダの精度やオートフォーカスを実行したときの測距精度などによって決定される。
【００３０】
Ｓ７では、補正反射率Ｒ２の演算を行う。
図４は、補正反射率Ｒ２の演算方法を示す図である。
補正反射率Ｒ２の演算は、距離による反射率誤差ｄＲｎとｄＲｉを用いて図４に示すように反射率Ｒを少なめに補正することにより行う。ＲがｄＲｉからｄＲｎの間では、補正反射率Ｒ２は、１．０としｄＲｉ以下では、ｄＲｉとの差だけＲを減少させ、ｄＲｎ以上では、ｄＲｎとの差だけＲを増加させる。また、補正反射率Ｒ２の範囲をＬＲｉからＬＲｎの間に制限させている。
【００３１】
Ｓ８では、主フラッシュライト１０の照射分布Ｉ1〔１〕〜Ｉ1〔５〕の演算を行う。
ここで、照射分布Ｉ1〔１〕〜Ｉ1〔５〕は、主フラッシュライト１０により最も明るく照明されている（反射光量が最大の）領域を基準とし、その領域の反射光量である最大反射光量ｂ１ｍａｘに対する各領域の反射光量の比率として以下の数５により求める。
【００３２】
【数５】
2005121936.tif 000007
【００３３】
Ｓ９では、主フラッシュライト１０の暫定の主発光予定量となるガイドナンバーｔｇｎ１の演算を行う。具体的には、先に決定した調光対象領域に対して適性発光量となるように、主フラッシュライト１０のｔｇｎ１を以下の数６により求める。
【００３４】
【数６】
2005121936.tif 000008
【００３５】
Ｓ１０では、増灯フラッシュライト２０の増灯モニター発光の測光を開始する。
Ｓ１１では、増灯フラッシュライト２０の増灯モニター発光（増灯予備発光）を行う。この増灯モニター発光では、増灯発光管２２を所定の小さな発光量のガイドナンバーｐ２で発光させる。
Ｓ１２では、増灯モニター発光の測光を完了すると共に、測光センサー５の５領域の一時的な測光値（増灯予備測光値）ｔ２〔１〕〜ｔ２〔５〕を取得する。
Ｓ１３では、測光センサー５増灯フラッシュライト２０のモニター発光の直前、又は、直後に測光した定常光成分をａ２〔１〕〜ａ２〔５〕とし、以下の数７に示すように、測光値ｔ２〔１〕〜ｔ２〔５〕から定常光成分ａ２〔１〕〜ａ２〔５〕を引くことにより純粋な増灯モニター発光での５個の領域の増灯フラッシュライト２０の反射光量ｂ２〔１〕〜ｂ２〔５〕を得る。なお、主モニター発光を行うＳ３と増灯モニター発光を行うＳ１１との間隔は、きわめて短い時間間隔で行われるので、定常光成分ａ２〔１〕〜ａ２〔５〕を新たに測定せずに、既に測定している定常光成分ａ1〔１〕〜ａ1〔５〕を定常光成分ａ２〔１〕〜ａ２〔５〕とみなして演算を行ってもよい。
【００３６】
【数７】
2005121936.tif 000009
【００３７】
Ｓ１４では、増灯調光領域ｓｐｏｓの検出と、反射率ＲＨ２の演算を以下のように行う。
増灯調光領域ｓｐｏｓは、Ｓ６と同様に、この中の最大値を返す領域を調光領域ｓｐｏｓとし、最大反射光量ｂ２ｍａｘを以下の数８により求める。
【００３８】
【数８】
2005121936.tif 000010
【００３９】
反射率ＲＨ２は、増灯フラッシュライト２０の距離検出部２３により得られた増灯フラッシュライト２０から被写体までの距離情報と、増灯フラッシュライト２０の外部調光用測光部２４により増灯モニター発光時に得られた外部増灯モニター測光値とを用いて演算される。
ここで、反射率ＲＨ２の求め方について説明する。
距離検出装置２３で検出した距離ＤＨとモニター発光のガイドナンバーｐ２と外部調光用測光部２４で求めた反射光量ＢＨより調光領域の反射率ＲＨを以下の数９により求める。ＫＨはあらかじめ標準とした反射率の被写体で１．０となるように定められた係数である。
【００４０】
【数９】
2005121936.tif 000011
【００４１】
また、検出距離ＤＨには誤差があるため演算した反射率Ｒにも誤差が生じるのでこの誤差分を以下の数１０により求める。
【００４２】
【数１０】
2005121936.tif 000012
【００４３】
ここで、ｄＲｎは、実際には近距離側となる誤差で１以上の値となり実際の反射率よりも高くなる誤差であり、ｄＲｉは、実際より遠距離側の誤差で１以下の値となり実際の反射率よりも低くなる誤差である。また、ＤＨｎ、Ｄｉは、距離ＤＨごとにあらかじめ設定されていて、距離検出装置２３の測距精度などによって決定される。
距離による反射率誤差ｄＲＨｎとｄＲＨｉを用いて図４に示すように反射率ＲＨを少なめに補正しＲＨ２とする。ＲＨがｄＲＨｉからｄＲＨｎの間は補正反射率ＲＨ２は１．０とし、ｄＲＨｉ以下はｄＲＨｉとの差だけＲＨ２を減少させ、ｄＲＨｎ以上ではｄＲＨｎとの差だけＲＨ２を増加させる。また、補正反射率の範囲をＬＲｉからＬＲｎの間に制限させている。
Ｓ１５では、増灯フラッシュライト２０の照射分布Ｉ２〔１〕〜Ｉ２〔５〕の演算を以下の数１１により行う。
【００４４】
【数１１】
2005121936.tif 000013
【００４５】
Ｓ１６では、増灯フラッシュライト２０の暫定の増灯発光予定量となるガイドナンバーｔｇｎ２の演算を行う。具体的には、先に決定した調光対象領域に対して適性発光量となるように、増灯フラッシュライト２０のｔｇｎ２を以下の数１２により求める。
【００４６】
【数１２】
2005121936.tif 000014
【００４７】
Ｓ１７では、主フラッシュライト１０からの閃光と増灯フラッシュライト２０からの閃光が各調光領域でオーバーラップしたときにも適正露光になるように前述の暫定ガイドナンバーの減光量Ｋｄｍ１，Ｋｄｍ２の演算を行う。
まず、主フラッシュライト１０と増灯フラッシュライト２０の各領域で照射分布を以下の数１３のように合計する。
【００４８】
【数１３】
2005121936.tif 000015
【００４９】
主フラッシュライト１０の調光領域ｍｐｏｓでの合計量Ｉｓｕｍ〔ｍｐｏｓ〕より超過量ｄｍを以下の数１４により演算する。なお、ｄｍが０以下の場合、ｄｍは、０とする。
【００５０】
【数１４】
2005121936.tif 000016
【００５１】
この超過量ｄｍより主フラッシュライト１０と増灯フラッシュライト２０を減光する割合を求める。合計が最大となる領域ｍｐｏｓに主フラッシュライト１０と増灯フラッシュライト２０が寄与する割合に応じて減光する割合を以下の数１５により求める。
【００５２】
【数１５】
2005121936.tif 000017
【００５３】
Ｓ１８では、Ｋｄｍ１、Ｋｄｍ２を用いて主フラッシュライト１０の照射分布Ｉ１とガイドナンバーｔｇｎ１、増灯フラッシュライト２０の照射分布Ｉ２とガイドナンバーｔｇｎ２を減光し、撮影時の主フラッシュライト１０と増灯フラッシュライト２０の発光量のガイドナンバーｇｎ１とｇｎ２を以下の数１６に示すようにして求める。
【００５４】
【数１６】
2005121936.tif 000018
【００５５】
Ｓ１９では、増灯調光領域ｓｐｏｓでの減光量Ｋｄｓ１，Ｋｄｓ２の演算を行う。
まず、再び主フラッシュライト１０と増灯フラッシュライト２０の各領域で照射分布を以下の数１７のようにして合計する。
【００５６】
【数１７】
2005121936.tif 000019
【００５７】
次に、増灯フラッシュライト２０の調光領域ｓｐｏｓでの合計量Ｉｓｕｍ〔ｓｐｏｓ〕より超過量ｄｓを以下の数１８により演算する。なお、ｄｓが０以下の場合、ｄｓは、０とする。
【００５８】
【数１８】
2005121936.tif 000020
【００５９】
この超過量ｄｓより主フラッシュライト１０と増灯フラッシュライト２０を減光する割合を求める。増灯フラッシュライト２０の調光領域ｓｐｏｓに主フラッシュライト１０と増灯フラッシュライト２０が寄与する割合に応じて、それぞれの減光する割合Ｋｄｓ１、Ｋｄｓ２を以下の数１９のようにして求める。
【００６０】
【数１９】
2005121936.tif 000021
【００６１】
Ｓ２０では、Ｋｄｓ１、Ｋｄｓ２を用いて前述の主フラッシュライト１０のガイドナンバーｔｇｎ１、増灯フラッシュライト２０のガイドナンバーｔｇｎ２を減光し、撮影時の主フラッシュライト１０と増灯フラッシュライト２０の発光量のガイドナンバーｇｎ１とｇｎ２を以下の数２０により求める。
【００６２】
【数２０】
2005121936.tif 000022
【００６３】
Ｓ２１では、シャッターを開放する。
Ｓ２２では、主フラッシュライト１０をガイドナンバーｇｎ１で、増灯フラッシュライト２０をガイドナンバーｇｎ２で発光する。
Ｓ２３では、シャッターを閉じて、増灯撮影を終了する。
【００６４】
本実施例によれば、複数のフラッシュライトを用いる増灯撮影において、どのような位置関係でフラッシュライトを配置しても自動的に最適な光量比で発光量が決定され、優れた増灯撮影の写真を容易に撮影することができる。
（変形例）
【００６５】
以上説明した実施例に限定されることなく、種々の変形や変更が可能であって、それらも本発明の均等の範囲内である。
例えば、本実施例において、主フラッシュライト１０と被写体との距離は、レンズ群位置検出部３により検出し、増灯フラッシュライト２０と被写体との距離は、距離検出部２３により検出する例を示したが、これに限らず、例えば、主フラッシュライト側にも独立した距離検出部を設けてもよいし、主フラッシュライト、増灯フラッシュライトのいずれについても、撮影者が任意の距離を入力できるようにしてもよい。なお、増灯フラッシュライトに距離検出部が無い場合には、増灯フラッシュライト側は撮影カメラから離されて設置されることが多いのでフラッシュライトと被写体までの距離は必ずしもカメラが検出した距離Ｄと同じになるとは限らないので、反射率による補正は行わないようにしてもよい。
【００６６】
（２）また、本実施例において、主フラッシュライト１０と増灯フラッシュライト２０の２台のフラッシュライトを使用する例を示したが、これに限らず、例えば、増灯フラッシュライトの台数をさらに多くしてもよい。
【図面の簡単な説明】
【００６７】
【図１】本発明による増灯撮影システムの実施例の構成を示す図である。
【図２】測光センサー５を用いた撮影画面の測光領域を示す図である。
【図３】本実施例におけるカメラの動作を示すフローチャートである。
【図４】補正反射率Ｒ２の演算方法を示す図である。
【図５】測光領域と撮影画面の一例とを重ねて示した図である。
【符号の説明】
【００６８】
１  撮影レンズ
２  絞り
３  レンズ群位置検出部
４  クイックリターンミラー
５  測光センサー
６  制御装置
７  増灯ケーブル
１０  主フラッシュライト
１１  主発光管制御装置
１２  主発光管
２０  増灯フラッシュライト
２１  増灯発光管制御装置
２２  増灯発光管
２３  距離検出部
２４  外部調光用測光部
【図１】
2005121936.tif 000023
【図２】
2005121936.tif 000024
【図３】
2005121936.tif 000025
【図４】
2005121936.tif 000026
【図５】
2005121936.tif 000027